【手続補正書】
【提出日】平成17年7月5日(2005.7.5)
【手続補正１】
【補正対象書類名】明細書
【補正対象項目名】発明の名称
【補正方法】変更
【補正の内容】
【発明の名称】カメラ付電子機器
【手続補正２】
【補正対象書類名】明細書
【補正対象項目名】特許請求の範囲
【補正方法】変更
【補正の内容】
【特許請求の範囲】
【請求項１】
被写体像を光電変換する電子式撮像手段を有する電子機器において、撮影に先立って予め準備される第１のデータと、撮影に伴って発生する第２のデータの両方を記憶するメモリ手段を有し、前記第１のデータと前記第２のデータの少なくとも一方は、電子機器内で記録と消去の少なくとも一方が可能であることを特徴とするカメラ付電子機器。
【請求項２】
前記第１のデータは、地名データベースであることを特徴とする請求項１記載のカメラ付電子機器。
【請求項３】
前記第１のデータは、地図データベースであることを特徴とする請求項１記載のカメラ付電子機器。
【請求項４】
前記第２のデータは、撮影画像に対応づけて記憶されるデータであることを特徴とする請求項１記載のカメラ付電子機器。
【請求項５】
前記第２のデータは、撮影場所に対応づけて記憶されるデータであることを特徴とする請求項１記載のカメラ付電子機器。
【請求項６】
前記第２のデータは、撮影画像データであることを特徴とする請求項１記載のカメラ付電子機器。
【請求項７】
前記第１のデータの容量と第２のデータの容量の和が、前記メモリ手段の記憶容量以内となるように制御するメモリ制御手段を有したことを特徴とする請求項１記載のカメラ付電子機器。
【請求項８】
前記メモリ手段は、カメラに対して着脱可能であることを特徴とする請求項１記載のカメラ付電子機器。
【請求項９】
被写体像を光電変換する電子式撮像手段と、測位信号を出力する測位手段とを有する電子機器において、予め地図データベースを記憶したメモリ手段と、前記測位信号と前記地図データベースとの照合結果から得られた撮影場所に関するデータを、前記メモリ手段に記憶するメモリ制御手段とを有し、前記メモリ制御手段は、前記光電変換された撮影画像データも併せて前記メモリ手段に記憶することを特徴とするカメラ付電子機器。
【手続補正３】
【補正対象書類名】明細書
【補正対象項目名】０００１
【補正方法】変更
【補正の内容】
【０００１】
【発明の属する技術分野】本発明は、種類の異なる複数のデータを記憶するメモリ手段を有したカメラ付電子機器の改良に関するものである。
【手続補正４】
【補正対象書類名】明細書
【補正対象項目名】０００８
【補正方法】変更
【補正の内容】
【０００８】
（発明の目的）本発明の第１の目的は、種類の異なる複数のデータを一つのメモリ手段に効率的に記憶し、小型軽量化、低価格化を達成することのできるカメラ付電子機器を提供しようとするものである。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】変更
【補正の内容】
【００２６】
本発明の第２の目的は、予め準備された地図データベース、撮影時に取得した撮影場所のデータ、及び、画像データを一つのメモリ手段に効率的に記憶し、小型軽量化、低価格化を達成することのできるカメラ付電子機器を提供しようとするものである。
【手続補正２３】
【補正対象書類名】明細書
【補正対象項目名】００２７
【補正方法】変更
【補正の内容】
【００２７】
【課題を解決するための手段】上記第１の目的を達成するために、請求項１記載の本発明は、被写体像を光電変換する電子式撮像手段を有する電子機器において、撮影に先立って予め準備される第１のデータと、撮影に伴って発生する第２のデータの両方を記憶するメモリ手段を有し、前記第１のデータと前記第２のデータの少なくとも一方が、電子機器内で記録と消去の少なくとも一方が可能であるカメラ付電子機器とするものである。
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００３４
【補正方法】削除
【補正の内容】
【手続補正３１】
【補正対象書類名】明細書
【補正対象項目名】００３５
【補正方法】削除
【補正の内容】
【手続補正３２】
【補正対象書類名】明細書
【補正対象項目名】００３６
【補正方法】削除
【補正の内容】
【手続補正３３】
【補正対象書類名】明細書
【補正対象項目名】００３７
【補正方法】削除
【補正の内容】
【手続補正３４】
【補正対象書類名】明細書
【補正対象項目名】００３８
【補正方法】削除
【補正の内容】
【手続補正３５】
【補正対象書類名】明細書
【補正対象項目名】００３９
【補正方法】削除
【補正の内容】
【手続補正３６】
【補正対象書類名】明細書
【補正対象項目名】００４０
【補正方法】削除
【補正の内容】
【手続補正３７】
【補正対象書類名】明細書
【補正対象項目名】００４１
【補正方法】削除
【補正の内容】
【手続補正３８】
【補正対象書類名】明細書
【補正対象項目名】００４２
【補正方法】削除
【補正の内容】
【手続補正３９】
【補正対象書類名】明細書
【補正対象項目名】００４３
【補正方法】削除
【補正の内容】
【手続補正４０】
【補正対象書類名】明細書
【補正対象項目名】００４４
【補正方法】削除
【補正の内容】
【手続補正４１】
【補正対象書類名】明細書
【補正対象項目名】００４５
【補正方法】削除
【補正の内容】
【手続補正４２】
【補正対象書類名】明細書
【補正対象項目名】００４６
【補正方法】削除
【補正の内容】
【手続補正４３】
【補正対象書類名】明細書
【補正対象項目名】００４７
【補正方法】削除
【補正の内容】
【手続補正４４】
【補正対象書類名】明細書
【補正対象項目名】００４８
【補正方法】削除
【補正の内容】
【手続補正４５】
【補正対象書類名】明細書
【補正対象項目名】００４９
【補正方法】削除
【補正の内容】
【手続補正４６】
【補正対象書類名】明細書
【補正対象項目名】００５０
【補正方法】削除
【補正の内容】
【手続補正４７】
【補正対象書類名】明細書
【補正対象項目名】００５１
【補正方法】削除
【補正の内容】
【手続補正４８】
【補正対象書類名】明細書
【補正対象項目名】００５２
【補正方法】削除
【補正の内容】
【手続補正４９】
【補正対象書類名】明細書
【補正対象項目名】００５３
【補正方法】削除
【補正の内容】
【手続補正５０】
【補正対象書類名】明細書
【補正対象項目名】００５４
【補正方法】変更
【補正の内容】
【００５４】
また、上記第２の目的を達成するために、請求項９記載の本発明は、被写体像を光電変換する電子式撮像手段と、測位信号を出力する測位手段とを有する電子機器において、予め地図データベースを記憶したメモリ手段と、前記測位信号と前記地図データベースとの照合結果から得られた撮影場所に関するデータを、前記メモリ手段に記憶するメモリ制御手段とを有し、前記メモリ制御手段は、前記光電変換された撮影画像データも併せて前記メモリ手段に記憶するカメラ付電子機器とするものである。
【手続補正５１】
【補正対象書類名】明細書
【補正対象項目名】０１１３
【補正方法】変更
【補正の内容】
【０１１３】
次のステップＳ１２０５においては、図６の選択確定ボタン１１４が押圧操作されたか否かを判別し、押圧操作されていなければステップＳ１２０３に戻ってステップＳ１２０３〜Ｓ１２０４を繰り返し実行する。また、前記選択確定ボタン１１４が押圧操作された事を判別したらステップＳ１２０６へ進み、ここで選択地名を確定し、続くステップＳ１２０７において、確定された地名をＣＰＵ１２１のＲＡＭに一時保存する。
【手続補正５２】
【補正対象書類名】明細書
【補正対象項目名】０２３４
【補正方法】変更
【補正の内容】
【０２３４】
【発明の効果】以上説明したように、本発明によれば、種類の異なる複数のデータを一つのメモリ手段に効率的に記憶し、小型軽量化、低価格化を達成することができるカメラ付電子機器を提供できるものである。
【手続補正５３】
【補正対象書類名】明細書
【補正対象項目名】０２３５
【補正方法】削除
【補正の内容】
【手続補正５４】
【補正対象書類名】明細書
【補正対象項目名】０２３６
【補正方法】削除
【補正の内容】
【手続補正５５】
【補正対象書類名】明細書
【補正対象項目名】０２３７
【補正方法】削除
【補正の内容】
【手続補正５６】
【補正対象書類名】明細書
【補正対象項目名】０２３８
【補正方法】削除
【補正の内容】
【手続補正５７】
【補正対象書類名】明細書
【補正対象項目名】０２３９
【補正方法】削除
【補正の内容】
【手続補正５８】
【補正対象書類名】明細書
【補正対象項目名】０２４０
【補正方法】削除
【補正の内容】
【手続補正５９】
【補正対象書類名】明細書
【補正対象項目名】０２４１
【補正方法】削除
【補正の内容】
【手続補正６０】
【補正対象書類名】明細書
【補正対象項目名】０２４２
【補正方法】削除
【補正の内容】
【手続補正６１】
【補正対象書類名】明細書
【補正対象項目名】０２４３
【補正方法】削除
【補正の内容】
【手続補正６２】
【補正対象書類名】明細書
【補正対象項目名】０２４４
【補正方法】削除
【補正の内容】
【手続補正６３】
【補正対象書類名】明細書
【補正対象項目名】０２４５
【補正方法】削除
【補正の内容】
【手続補正６４】
【補正対象書類名】明細書
【補正対象項目名】０２４６
【補正方法】削除
【補正の内容】
【手続補正６５】
【補正対象書類名】明細書
【補正対象項目名】０２４７
【補正方法】削除
【補正の内容】
【手続補正６６】
【補正対象書類名】明細書
【補正対象項目名】０２４８
【補正方法】削除
【補正の内容】
【手続補正６７】
【補正対象書類名】明細書
【補正対象項目名】０２４９
【補正方法】削除
【補正の内容】
【手続補正６８】
【補正対象書類名】明細書
【補正対象項目名】０２５０
【補正方法】削除
【補正の内容】
【手続補正６９】
【補正対象書類名】明細書
【補正対象項目名】０２５１
【補正方法】削除
【補正の内容】
【手続補正７０】
【補正対象書類名】明細書
【補正対象項目名】０２５２
【補正方法】変更
【補正の内容】
【０２５２】
また、本発明によれば、予め準備された地図データベース、撮影時に取得した撮影場所のデータ、及び、画像データを一つのメモリ手段に効率的に記憶し、小型軽量化、低価格化を達成することができるカメラ付電子機器を提供できるものである。